(57)【特許請求の範囲】
【請求項１】
上部に注出口を備えた可撓性の液体収納用不定形容器を収容保持するホルダーであって、
下端が開口する無底筒状の胴部と、この胴部の上端から延設された錐台形状の肩部とを備え、
前記肩部の頂壁にその中央部より端部に向かう案内溝を設けるとともに、側壁に前記案内溝に繋がる傾倒用の孔を形成し、
さらに、前記肩部の前記傾倒用孔に対向した部位に指挿入用の孔を形成し、
前記胴部の下端開口より前記不定形容器を挿入した後、該不定形容器の上部を前記傾倒用の孔を利用して傾倒し、ついで、該不定容器の注出口に設けられた２つの突片間に前記案内溝の端縁が挿入される態様で前記注出口を該案内溝に押し込むようにしたことを特徴とする不定形容器用ホルダー。
【請求項２】
前記案内溝の端縁に、前記注出部の各突片の間隔よりも僅かに低く隆起する座面部を形成したことを特徴とする請求項１に記載の不定形容器用ホルダー。
【請求項３】
前記案内溝の前記傾倒用孔側に位置した端部内側に相対向する一対の突起を形成し、該各突起のなす間隔を前記不定形容器の注出口の幅よりも僅かに小さくなるように設定したことを特徴とする請求項１または２に記載の不定形容器用ホルダー。
【請求項４】
前記胴部に前記下端開口を開閉する底蓋を設けたことを特徴とする請求項１に記載の不定形容器用ホルダー。
【発明の詳細な説明】
【０００１】
【産業上の利用分野】
本発明は、飲料水、ワイン、調味料等の液体を収納した可撓性の不定形容器を立てた状態で収納保持すると共に、必要に応じて液体を注出することができる不定形容器用のホルダーに関する。
【０００２】
【従来の技術】
従来、家庭用の飲料水、ワイン、調味料等の液体を収納する容器としてペットボトルが用いられてきたが、近年においては、環境汚染や資源の無駄使いを防止する等の観点から可撓性の不定形容器が広く用いられるようになってきている。この不定形容器は、自立性に乏しく不安定である。そこで、この不定形容器を収容し、外側に突出する注出口から直接にまたはポンプを介して内容液を注出するように構成されたホルダーが提案されている。
【０００３】
例えば、実開平７−１５５６６号には、図７に示すような柔軟容器保持器（ホルダー）１０が開示されている。この保持器１０によって保持される図示していない不定形容器は、柔軟なフィルム状材料を用いて形成されており、断面長方状の箱体の頂部を合掌状に合わせた構成を有する。
保持器１０は、上記不定形容器を隙間がなるべくできないように収納するものであり、外周壁１１、底壁１２および頂壁１３を備えている。外周壁１１の前面上部および後面下部には、それぞれ開口１４および窓孔１５が形成され、また、頂壁１３に案内溝（係合孔）１６が形成されるとともに、周壁１１の一外面に把手１７が設けられている。
【０００４】
不定形容器は、保持器１０の開口１４を介して斜め方向に該保持器１０内に差込まれれる。そして、その底部の後側を上記窓孔１５から突出させた状態で該底部を上記底壁１２に載せた後、その底部を滑らせながら立て、その際、上部の注出口に設けた２枚のフランジからなる係合溝を保持器１０の案内溝１６に嵌めて該注出口を該案内溝１６に保持させる。
【０００５】
図８は、特開平１０−２１８２３６号公報に記載された詰替式の容器（ホルダー）２０を示している。この詰替式容器２０は、軟質シートを重ねて周囲を封止した図９に示す不定形容器２３を適用対象としている。この不定形容器２３の注出口２４は、ねじキャップ２５を螺着する雄ねじの下部に水平に延びる突片２４ａ，２４ｂを上下に間隔をおいて設けてある。
【０００６】
詰替式容器２０は、先窄まり状の有底筒体からなる容器本体２１と、この容器本体２１の前面上部に開閉自在に設けた殻部（蓋）２２とを有し、該殻部２２が閉じられた状態では、容器本体に２１の上面に設けられた切欠孔２１ａと殻部２２の上面に設けられた切欠孔２２ａとによって注出用孔が形成される。
容器２０に不定形容器２３を装填するときは、殻部２２を図８に２点鎖線で示すように開いて、該不定形容器２３を上から落し込む。そして、殻部２２を閉じて、切欠孔２１ａと２２ａとを不定形容器２３の注出口２４に設けられた前記突片２４ａおよび２４ｂの間に挟み込んで該注出口２４を保持する。
【０００７】
図１０は、実開平５−４４８５４号に記載された液体内容物吐出容器（ホルダー）３０を示している。この吐出容器３０は、ポンプ機構３４ａを備えた袋状不定形容器３４を適用対象とするものであり、鉛直方向の回動軸線を有したヒンジ（図示省略）を介して開閉自在に結合された箱体３１，３２と、これらの箱体３１，３２の閉状態を保持するフック３３とを備えている。
【０００８】
この吐出容器３０に不定形容器３４を装填するときは、箱体３１、３２を矢視方向に開いて、該箱体３１、３２の一方に該不定形容器３４を横から入れ、その後、これらの箱体３１、３２を閉じる。
箱体３１、３２が閉じられると、該箱体３１、３２の頂部接合端が不定形容器３４の注出口に設けられた図示していない複数の係止用凸部間に嵌着され、これによって、不定形容器３４が吐出容器３０に支持される。
【０００９】
【発明が解決しようとする課題】
不定形容器用のホルダーは、不定形容器の着脱や洗浄等が容易であること、および、構造が簡単で製品コストが低廉であることが要求される。
図７に示した保持器１０は、構造が簡単である。しかし、不定形容器を斜め上方から挿入して、その注出口に設けた係合溝を保持器１０の案内溝１６に嵌める操作を伴うので、装填に手間を要するという欠点があり、また、外観がデザイン的に劣るという欠点もある。
【００１０】
一方、図８に示した詰替式容器２０は、上側に設けた殻部２２を開いて不定形容器を斜め上方から挿入した後、切欠孔２１ａと２２ａを不定形容器２３の注出口２４の突片２４ａ，２４ｂ間に挟み込む操作を伴うので、やはり、装填に手間を要し、しかも、構造が複雑で製品コストが高くなる欠点がある。なお、図１０に示した吐出容器３０も、上記詰替式容器２０と同様の欠点を持つ。
上記従来のホルダーの問題点は、特に、不定形容器の充填容量が大きい（例えば、２リットル〜５リットル）場合により顕著になる。
【００１１】
本発明の課題は、このような状況に鑑み、上部に注出口を備えた比較的に容量の大きい（例えば２リットル〜５リットル）液体収納用不定形容器に適用した場合でも、容易に装填することができ、かつ、構造が簡単で製造コストの安い不定形容器用ホルダーを提供することにある。
【００１２】
【課題を解決するための手段】
上記課題を解決するため本発明の不定形容器用ホルダーは、以下に述べるような構成を有する。
第１の発明は、下端が開口する無底筒状の胴部と、この胴部の上端から延設された錐台形状の肩部とを備え、前記肩部の頂壁にその中央部より端部に向かう案内溝を設けるとともに、側壁に前記案内溝に繋がる傾倒用の孔を形成し、前記胴部の下端開口より不定形容器を挿入した後、該不定形容器の上部を前記傾倒用の孔を利用して傾倒し、ついで、該不定容器の注出口に設けられた２つの突片間に前記案内溝の端縁が挿入される態様で前記注出口を該案内溝に押し込むようにしている。
第２の発明は、第１の発明において、前記案内溝の端縁に、前記注出部の各突片の間隔よりも僅かに低く隆起する座面部を形成している。
たことを特徴とする請求項１に記載の不定形容器用ホルダー。
第３の発明は、第１または第２の発明において、前記案内溝の前記傾倒用孔側に位置した端部内側に相対向する一対の突起を形成し、該各突起のなす間隔を前記不定形容器の注出口の幅よりも僅かに小さくなるように設定している。
第４の発明は、第１の発明において、前記肩部の前記傾倒用孔に対向した部位に指挿入用の孔を形成している。
第５の発明は、第１の発明において、前記胴部に前記下端開口を開閉する底蓋を設けている
【００１３】
【発明の実施の形態】
（第１の実施形態）
本発明の第１の実施形態に係る不定形容器用ホルダー（以下、単にホルダーと呼ぶ）を図１〜図５を参照して説明する。
図１は、この第１の実施形態に係るホルダーの外観を示す斜視図、図２は図１のＡ−Ａ線による縦断面図、図３は図１のＢ−Ｂ線による縦断面図、図４は注出口の斜視図、図５は肩部の斜視図である。
【００１４】
図１に示すホルダー５０は、無底筒状の胴部５１と、該胴部５１の上方に連接された四角錐台形状の肩部５２とによって構成されている。なお、このホルダー５０は、例えば、ポリプロピレン等の硬質樹脂で形成される。
肩部５２の頂壁５３は、コの字状の座面部５４と、この座面部５４の内側に形成された四角状の案内溝（係合溝）５４ａとを備えている。座面部５４は頂壁５３の上面から隆起するように形成され、また、案内溝５４ａは前方において開口している。
【００１５】
肩部５２は、その前壁に略半円形の傾倒用孔５２ａを形成するとともに、その後壁に該傾倒用孔５２ａに対向する略半円形の指挿入孔５２ｂ（図３参照）を形成してある。また、この肩部５２の左壁および右壁には、それぞれ略半円形の通気孔５２ｃを対称状に形成してある。
上記傾倒用孔５２ａは、その上端が上記案内溝５４ａの前部開口に繋がっている。一方、上記指挿入孔５２ｂは、独立した孔である。
【００１６】
胴部５１の前後壁には、それぞれ把手兼用の覗き孔５１ａがそれぞれ４個設けられている。なお、図２、図３に示すように、上記覗き孔５１ａの縁部には、胴部５１の内方に突出する補強リブ５１ｃを形成してある。
胴部５１は、下端に開口５１ｂを有する。符号５１ｄは、開口５１ｂ近傍の肉部を示している。ホルダー５０は、この肉部によってその形状が安定に維持されている。
【００１７】
この実施例のホルダー５０に適用される不定形容器６０は、従来例の図９に示した容器２３と同様の構造、すなわち、軟質の袋体６１の上部に注出口６２を設けた構造を有する。
なお、袋体６１は、円筒状の軟質フィルムの上下部を封止することによって、または、重ね合わせたシート状の軟質フィルムの周囲を封止することによって形成されている。
【００１８】
上記注出口６２は、上部にねじキャップ６３を螺合してある。また、この注出口６２は、図４に示すように、下部に長方形状の首部（係合部）６２ａを有し、この首部６２ａにフランジ状の突片（係合片）６２ｂ，６２ｃを上下に所定の間隔をおいて形成してある。なお、上記突片６２ｂ，６２ｃの間隔は、上記肩部５２に設けた座面部５４の隆起高さよりも若干小さく設定されている。
【００１９】
次に、上記構成のホルダー５０の作用を説明する。
不定形容器６０をホルダー５０に装填する場合には、該ホルダー５０をその下端開口５１ｂ側が上になるように立てる。そして、不定形容器６０の下側封止部６１ａ（図３参照）を掴んで、該容器６０を逆さに吊るし、これを逆さにしたホルダー５０の開口５１ｂから落込むように挿入する。このとき、不定形容器６０の胴部は横に曲げられることなく真っすぐな状態で挿入される。したがって、その挿入操作は極めて容易である。
【００２０】
注出口６２がホルダー５０の頂壁５３に当接するまで不定形容器６０が挿入されると、前記肩部５２の後壁面に形成された指挿入用５２ｂ（図３参照）より指を入れて不定形容器６０を前方に押す。
これにより、図２に示したように、容器６０の上部が傾斜して傾倒用孔５２ａから外方に突出するので、次に、ホルダー５０を横に倒して、注出口６２の首部６２ａをホルダー５０の案内溝５４ａに押し込む。
このとき、首部６２ａの左右方向の位置（長辺方向の位置）は、案内溝５４ａの左右端縁によって規定され、また、前後方向の位置（短辺方向の位置）は、該首部６２ａの長辺を案内溝５４ａの奥側端縁に当接させることによって規定されることになる。
【００２１】
案内溝５４ａに嵌入された注出口６２は、通常、横方向への力が作用しないので、該溝５４ａ内に止まっている。つまり、案内溝５４ａから抜け出ることはない。そして、このとき、注出口６２の突片６２ｂ，６２ｃ間に図１に示した座面部５４が嵌合し、これによって、ホルダー５０内における容器６０の上下方向のがたつきが抑制される。
なお、容器６０のキャップ６３の径寸法が案内溝５４ａの幅よりも小さい場合には、ホルダー５０内にに該容器６０を挿入した際にキャップ６３が案内溝５４ａを介して外部に露出する。したがって、この場合には、キャップ６３を手で持って容器６０の上部を傾倒用孔５２ａ側に傾倒させることができる。
【００２２】
以上で、ホルダー５０への不定形容器６０の装填が終了する。そこで、キャップ６３を外し、覗き孔５１ａに指をかけてホルダー５０を持上げて傾ければ、容器６０内の液体を注出口６２から注出することができる。
ホルダー５０から不定形容器６０を取出すときは、注出口６２の首部６２ａをホルダー５０の案内溝５４ａから抜き出す操作と、該ホルダー５０の下端開口５１ｂから不定形容器６０の底を掴んで引出す操作を行えば良い。
【００２３】
なお、肩部５２の左右に設けた孔５２ｃは、ハンドリング用の指掛け孔としての機能と、容器６０を装填した容器６０を冷蔵庫に収納した際の通気孔としての機能を有する。
また、覗き孔５１ａは、ハンドリング用の指掛け孔として利用される他、容器６０が透明である場合における内容物の量の視認窓としても利用される。
【００２４】
（第２の実施形態）
第２実施形態においては、図５に示すように、案内溝５４ａの前記傾倒用孔４２ａ側に位置した端部内側に相対向する一対の突起５４ｂを形成してある。各突起５４ｂのなす間隔は、容器６０の首部６０ａの幅よりも僅かに小さくなるように設定している。したがって、この第２の実施形態によれば、外圧による案内溝５４ａからの注出口６２の抜け出しが抑制される。
【００２５】
【第３の実施形態】
次に、本発明の第３の実施形態について説明する。
図６に示すように、この第３の実施形態に係る不定形容器用ホルダー７０は、図２に示した胴部５１に対応する胴部７１を備え、この胴部７１に底蓋７２を開閉自在に設けてある。
底蓋７２は、基端を薄肉蝶番７３を介して胴部７１の一側下端に枢着してあるので、この蝶番７３を中心として揺動可能である。そして、実線で示すように、胴部７１の下端開口を閉塞した際には、その自由端に設けたラッチ７４が胴部７１の他側下端内面に当接して、その閉塞状態を保持する。なお、符号ｍは胴部７１を成形する際の分割線を示している。
【００２６】
この実施形態のホルダー７０は、蓋７２によって胴部７１の下端開口を閉塞することができる。したがって、不定形容器の長さが大きくてその底部が胴部７１の下端開口から突出する場合、蓋７２を閉じることによってその底部を胴部７１内に押し込むことが可能である。
なお、この第３の実施形態に係るホルダー７０は、蓋７２を設けた点を除き前記第１の実施形態に係るホルダー５０と同様の構成を有する。
【００２７】
【発明の効果】
本発明に係る不定形容器用ホルダーによれば、少なくとも次のような効果が得られる。
（１）下端開口から不定形容器を落とし込んだ後、該容器の注入口を案内溝に挿入することによって容器の装填が終了する。また、上記操作と逆の操作を行うことにより容器を取り出すことができる。したがって、不定形容器の装填および取出しが極めて容易である。
（２）上下に開口があるので、洗浄清掃を容易に行うことができる。
（３）構造が簡単であるので、製造コストを低減することができる。
【図面の簡単な説明】
【図１】本発明の第１の実施形態に係る不定形容器用ホルダーの斜視図。
【図２】図１のＡ−Ａ線による縦断面図。
【図３】図１のＢ−Ｂ線による縦断面図。
【図４】不定形容器の注出口の斜視図。
【図５】本発明の第２の実施形態に係る不定形容器用ホルダーの要部斜視図。
【図６】本発明の第３の実施形態に係る不定形容器用ホルダーの要部断面図。
【図７】従来の柔軟容器の保持器を示す斜視図。
【図８】従来の詰替式容器の斜視図。
【図９】従来の不定形容器の一例を示す正面図。
【図１０】従来の液体吐出物容器の斜視図。
【符号の説明】
５０，７０  不定形容器用ホルダー
５１，７１  胴部
５２  肩部
５２ａ  傾倒用孔
５２ｂ  指挿入孔
５３  上壁
５４  座面部
５４ａ  案内溝
６０  不定形容器
５４ｂ  突起
６２  注出口
６２ａ  首部
６２ｂ，６２ｃ  突片
５１ｂ  下端開口
７２  底蓋
【図１】
0004128304.tif 000002
【図２】
0004128304.tif 000003
【図３】
0004128304.tif 000004
【図４】
0004128304.tif 000005
【図５】
0004128304.tif 000006
【図６】
0004128304.tif 000007
【図７】
0004128304.tif 000008
【図８】
0004128304.tif 000009
【図９】
0004128304.tif 000010
【図１０】
0004128304.tif 000011